(57)【特許請求の範囲】
【請求項１】
閉じ状態においてフラットな平面を成す左右のスライド扉の一方を手前側に引き出して横方向にスライドさせた後に他方のスライド扉に正面視で重ねることによって収納庫本体の前面開口部を開くようにした収納庫において、
前記各スライド扉の幅方向端面にライン把手を取り付け、
前記ライン把手は、前面が開口するチャンネル状部材の開口側の幅方向両端縁に、内側に向かって略直角に曲げられた横断面Ｌ字状の手掛け部を上下方向に一体に形成したことを特徴とする収納庫。
【発明の詳細な説明】
【技術分野】
【０００１】
本発明は、スライド扉の幅方向端面に取り付けられるライン把手とこれを備えた収納庫に関するものである。
【背景技術】
【０００２】
例えばキッチンに設置される食器収納庫には、扉が収納庫本体の幅方向両端を中心として揺動する両開き型のものや、収納庫本体の前面開口部を横方向に引き違いにスライドする扉によって開閉するインセット型のものが多く使用されていた。
【０００３】
ところが、両開き型の収納庫にあっては、扉を開閉するためには手前側に大きなスペースを要するという問題があり、インセット型の収納庫では、扉が引き違い式にスライドするために２枚の厚さ分だけ収納スペースが減少するという問題がある。
【０００４】
そこで、本出願人は、閉じ状態においてフラットな平面を成す左右のスライド扉の一方を手前側に引き出して横方向にスライドさせ、該スライド扉を他方のスライド扉に正面視で重ねることによって開くようにしたスライド扉開閉機構を先に提案した（特許文献１参照）。
【０００５】
このスライド扉開閉機構は、スライド扉の開閉動作をガイドする上下一対のガイド手段を、収納庫本体内の上下に平面仕切板によって画成された空間内にそれぞれ配置して構成されており、これによれば全閉状態において左右のスライド扉はフラットな平面を成すために収納庫の収納スペースがスライド扉によって減少することがなく、又、収納庫を開閉するときには一方のスライド扉を手前側に引き出して横方向にスライドさせるために手前側に大きな開閉スペースを必要としないという効果が得られる。
【特許文献１】特許第３７４１２０２号公報
【発明の開示】
【発明が解決しようとする課題】
【０００６】
ところで、近年、システムキッチンの食器収納庫等には、操作性や意匠性の向上等のために前面に把手等の突起物が突出しないものに対するニーズが高まりつつある。このようなニーズに応えるためには、全高に亘って上下方向に直線状に延びるライン把手をスライド扉の幅方向の一端面に取り付ける構成が考えられる。
【０００７】
而して、ライン把手が取り付けられたスライド扉を横方向にスライドさせて開閉操作する場合には、ライン把手をユーザーが把持してこれに力を加える方向が開き操作時と閉じ動作時とで左右逆になるため、ライン把手には開き操作時と閉じ操作時に把持すべき手掛け部が別々に必要になる。
【０００８】
本発明は上記事情に鑑みてなされたもので、その目的とする処は、スライド扉の開閉動作時に左右何れの方向にも必要な力を加えてスライド扉を操作性良く開閉操作することができるライン把手及びこれを備えた収納庫を提供することにある。
【課題を解決するための手段】
【０００９】
上記目的を達成するため、請求項１記載の発明は、閉じ状態においてフラットな平面を成す左右のスライド扉の一方を手前側に引き出して横方向にスライドさせた後に他方のスライド扉に正面視で重ねることによって収納庫本体の前面開口部を開くようにした収納庫において、前記各スライド扉の幅方向端面にライン把手を取り付け、前記ライン把手は、前面が開口するチャンネル状部材の開口側の幅方向両端縁に、内側に向かって略直角に曲げられた横断面Ｌ字状の手掛け部を上下方向に一体に形成したことを特徴とする。
【発明の効果】
【００１１】
本発明によれば、ライン把手を前面が開口するチャンネル状部材で構成し、このチャンネル状部材の開口側の幅方向両端縁に、内側に向かって略直角に曲げられた横断面Ｌ字状の手掛け部を上下方向に一体に形成したため、スライド扉の開閉動作時にはライン把手の両手掛け部の操作し易い（力を掛け易い）一方に手を掛けてスライド扉を操作することができ、スライド扉に左右何れの方向にも必要な力を加えて該スライド扉を操作性良く開閉操作することができる。
【発明を実施するための最良の形態】
【００１２】
以下に本発明の実施の形態を添付図面に基づいて説明する。
【００１３】
図１は本発明に係る収納庫の正面図、図２は図１のＡ−Ａ線断面図（スライド扉全閉時）、図３は図２のＢ−Ｂ線断面図、図４は図１のＡ−Ａ線断面図（スライド扉開閉時）、図５は図４のＣ−Ｃ線断面図、図６は図４のＤ部拡大詳細図、図７は図１のＥ−Ｅ線断面図、図８〜図１０は本発明に係るスライド扉開閉機構の動作をスライド扉の開き動作手順に沿って示す部分斜視図である。
【００１４】
図１に示す収納庫１は、システムキッチンに設置される食器収納庫であって、矩形ボックス状の収納庫本体２の前面開口部２ａ（図２〜図５参照）は左右のスライド扉３Ｌ，３Ｒによって開閉されるが、図１〜図３に示すように、収納庫本体２の前面開口部２ａが左右のスライド扉３Ｌ，３Ｒによって閉じられているときには、左右のスライド扉３Ｌ，３Ｒは段差の無いフラットな平面を成している。
【００１５】
そして、上述のように収納庫本体２の前面開口部２ａが左右のスライド扉３Ｌ，３Ｒによって閉じられている状態において、図４及び図５に示すように、例えば右スライド扉３Ｒを手前側（図４の矢印ｙ方向）に引き出した後、該右スライド扉３Ｒを横方向（図４の矢印ｘ方向）にスライドさせて正面視で左スライド扉３Ｌに重ねることによって収納庫本体２の前面開口部２ａの右半分を開けることができ（開度５０％）、この開いた部分から食器類を出し入れすることができる。
【００１６】
又、前面開口部２ａの右半分が開いた収納庫本体２を閉じるには、正面視で左スライド扉３Ｌの前面側に重ねられた右スライド扉３Ｒを横方向（図４の矢印ｘ’方向）に右限までスライドさせた後、該右スライド扉３Ｒを奥側（図４の矢印ｙ’方向）に押し込めば良い。すると、右スライド扉３Ｒは収納庫本体２の前面開口部２ａの右半分を閉じ、図１〜図３に示すように、収納庫本体２の前面開口部２ａはフラットな平面を成す左右のスライド扉３Ｌ，３Ｒによって全閉される。尚、以上は右スライド扉３Ｒの開閉動作について説明したが、左スライド扉３Ｌも右スライド扉３Ｒと同様に操作することによって収納庫本体２の前面開口部２ａの左半分を開閉することができる。
【００１７】
而して、以上の左右のスライド扉３Ｌ，３Ｒの開閉動作は本発明に係るスライド扉開閉機構によってなされるが、このスライド開閉機構は、図１に示すように、各スライド扉３Ｌ，３Ｒの上下にそれぞれ設けられた各一対のガイド手段Ｇ，Ｇ’を備えている。ここで、収納庫本体２内の上下には水平な平面仕切板４，４’によって高さの低い空間Ｓ，Ｓ’がそれぞれ画成されており、前記上下一対のガイド手段Ｇ，Ｇ’は各空間Ｓ，Ｓ’にそれぞれ収納されている。従って、収納庫本体２においては、上下の平面仕切板４，４’の間の空間が収納空間となる。
【００１８】
次に、本発明に係るスライド開閉機構を構成するガイド手段Ｇ，Ｇ’の構成について説明する。尚、左右のスライド扉３Ｌ，３Ｒの上側に設けられたガイド手段Ｇ，Ｇ同士及び下側に設けられたガイド手段Ｇ’，Ｇ’同士は収納庫本体２の幅方向中心に対して左右対称に構成されているが、これらの基本構成は同じであるため、以下、右側のスライド扉３Ｒの上下に配設されたガイド手段Ｇ，Ｇ’の構成についてのみ説明する。
【００１９】
先ず、上側のガイド手段Ｇの構成について説明すると、図２及び図３に示すように、上側の平面仕切板４上には、上面が開口するチャンネル状の第１のガイドレール５が収納庫本体２の全幅に亘って横方向（スライド扉３Ｌ，３Ｒのスライド方向）に敷設されており、この第１のガイドレール５には、該ガイドレール５の全長の約１／４の長さを有する矩形パイプ状のスライダ６が移動可能に保持されている。即ち、図３に示すように、スライダ６の左右には複数のローラ７が回転可能に軸支されており、スライダ６はローラ７を介して第１のガイドレール５に沿って横方向（図３の紙面垂直方向）にスライド可能に保持されている。
【００２０】
上記スライダ６の上面の左右両端部には、図２に示すように、連結板８，９がそれぞれ水平に結着されており、これらの連結板８，９には揺動板１０，１１の各中間部が軸１２，１３によってそれぞれ水平に揺動可能に枢着されており、これらの揺動板１０，１１の各一端部（内側端部）同士はリンク部材１４によって連結されている。そして、揺動板１０，１１の各他端部（外側端部）には軸１５によって右スライド扉３Ｒの上端の２箇所が連結されている。
【００２１】
他方、下側のガイド手段Ｇ’においても、図３及び図５に示すように、下側の平面仕切板４’の下面には、下面が開口するチャンネル状の第１のガイドレール５’が収納庫本体２の全幅に亘って横方向（図３及び図５の紙面垂直方向）に敷設されており、この第１のガイドレール５’には、該ガイドレール５’の全長の約１／４の長さを有する断面Ｌ字状のスライダ６’が複数のローラ７’を介して移動可能に保持されている。
【００２２】
上記スライダ６’には、２枚の揺動板１０’，１１’（図３及び図５には揺動板１１’は不図示）が揺動可能に連結されており、これらの揺動板１０’，１１’の各一端部（内側端部）同士はリンク部材１４’によって連結されている。そして、揺動板１０，１１’の各他端部（外側端部）には軸１５’によって右スライド扉３Ｒの下端の２箇所が連結されている。
【００２３】
従って、右スライド扉３Ｒは、上下のガイド手段Ｇ，Ｇ’の揺動板１０，１１及び１０’，１１’によって垂直に支持されており、図１、図２及び図４に示すように、該右スライド扉３Ｒの右端面には、前面が開口するチャンネル状のライン把手１６が全高に亘って直線状に取り付けられている。尚、左スライド扉３Ｌの左端面にも同様のライン把手１６が取り付けられている。
【００２４】
ここで、ライン把手１６の構成の詳細を図７に示すが、該ライン把手２６は、前面が開口するチャンネル状部材で構成されており、該チャンネル状部材の開口側の幅方向両端縁には、内側に向かって略直角に曲げられた横断面Ｌ字状の手掛け部１６ａ，１６ｂが上下方向に一体に形成されている。
【００２５】
而して、上側のガイド手段Ｇにおいては、両揺動板１０，１１とリンク部材１４及び右スライド扉３Ｒで平行四辺形リンクが構成されており、下側のガイド手段Ｇ’においても、両揺動板１０’，１１’とリンク部材１４’及び右スライド扉３Ｒで平行四辺形リンクが構成されている。
【００２６】
ところで、図２及び図４に示すように、上側のガイド手段Ｇの両揺動板１０，１１の間にはリターンスプリング１７が張設されており、一方の揺動板１０とスライダ６との間にはダンパー１８が介設されている。又、同様に下側のガイド手段Ｇ’の両揺動板１０，１１’の間にはリターンスプリング１７’が張設されている。
【００２７】
又、図３及び図４に示すように、上側のガイド手段Ｇにおいて、平面仕切板４の前記第１のガイドレール５の手前側には第２のガイドレール１９が横方向に敷設されている。この第２のガイドレール１９は、長手方向（横方向）に直線状に延びる直線ガイド部１９ａと該直線ガイド部１９ａの長手方向両端に形成された凹状の揺動ガイド部１９ｂとで構成されており、後述のように揺動ガイド部１９ｂは、右スライド扉３Ｒを手前側に引き出す際のガイドとして機能する。同様に、図３に示すように、下側のガイド手段Ｇ’においても、平面仕切板４’の前記第１のガイドレール５’の手前側（図３の左側）には第２のガイドレール１９’が横方向に敷設されており、図示しないが、この第２のガイドレール１９’の直線ガイド部の長手方向端部には、右スライド扉３Ｒを手前側に引き出す際のガイドとなる凹状の揺動ガイド部が形成されている。そして、本実施の形態においては、上側のガイド手段Ｇの第１のガイドレール５と第２のガイドレール１９及び下側のガイド手段Ｇ’の第１のガイドレール５’と第２のガイドレール１９’とは一体化されている。
【００２８】
又、図３に示すように、上側のガイド手段Ｇの一方の揺動板１０からは軸２０が垂直下方に突設されており、該軸２０の下端部には、前記第２のガイドレール１９に沿って転動するローラ２１が回転可能に支持されている。同様に、下側のガイド手段Ｇ’の一方の揺動板１０’からは軸２０’が垂直上方に立設されており、該軸２０’の上端部には、前記第２のガイドレール１９’に沿って転動するローラ２１’が回転可能に支持されている。
【００２９】
而して、本実施の形態においては、図５及び図８〜図１０に示すように、上下のガイド手段Ｇ，Ｇ’の揺動板１０，１０’同士は、垂直に起立する矩形パイプ状の連結ロッド２２によって互いに連結されている。具体的には、揺動板１０，１０’と右スライド扉３Ｒとを連結する軸１５，１５’には、ブラケット２３，２３’がそれぞれ結着されており、これらのブラケット２３，２３’の軸１５，１５’に対して偏心した位置には前記連結ロッド２２の端部がフランジ２４，２４’を介して連結されている。
【００３０】
又、図４及び図８〜図１０に示すように、上下の平面仕切板４，４’（図４には一方のみ図示）の前縁の幅方向両端部には、右スライド扉３Ｒが全閉状態にあるときに前記連結ロッド２２を格納するための切欠き２５ａが形成されている。この切欠き２５ａは、図６に詳細に示すように、その内側面（図６の左側面）２５ａ−１が前方（図６の下方）に向かって広がる傾斜面として形成されており、前方に向かって開口幅が広げられている。尚、本実施の形態では、切欠き２５ａが形成された樹脂製部材２５が上下の平面仕切板４，４’の前縁に嵌着されている。
【００３１】
次に、右スライド扉３Ｒの開閉動作について説明する。
【００３２】
図１及び図２に示すように、収納庫本体２の前面開口部２ａがフラットな平面を成す左右のスライド扉３Ｌ，３Ｒによって閉じられている状態では、図７に示すように、上下のガイド手段Ｇ，Ｇ’の揺動板１０，１０’同士を連結する連結ロッド２２は、上下の平面仕切板４，４’に嵌着された樹脂製部材２５の切欠き２５ａに収納されている。
【００３３】
上記状態において、ユーザーが例えば右スライド扉３Ｒのライン把手１６の左側の手掛け部１６ａ（図７参照）に手を掛けて該右スライド扉３Ｒを手前側（図４の矢印ｙ方向）に引くと、例えば上側のガイド手段Ｇにおいて、揺動板１０，１１がそれぞれ軸１２，１３を中心として図２の矢印ａ方向に揺動するが、前述のように揺動板１０，１１とリンク部材１４及び右スライド扉３Ｒは平行四辺形リンクを構成しているため、右スライド扉３Ｒは、揺動板１０，１１と共に図２の矢印ａ方向に揺動しつつ収納庫本体２の前面に対して平行に手前側へと移動する。尚、このとき、下側のガイド手段Ｇ’も同様に動作する。
【００３４】
而して、上述のように右スライド扉３Ｒを手前側に引き出す過程において、上下の揺動板１０，１０’に軸２０，２０’を介して回転可能に保持されたローラ２１，２１’は第２のガイドレール１９，１９’の揺動ガイド部１９ｂ（下側については不図示）に係合しているため（図９参照）、右スライド扉３Ｒの横移動が阻止される。又、上下のガイド手段Ｇ，Ｇ’の各揺動板１０，１０’同士は連結ロッド２２によって互いに連結されているため、上下のガイド手段Ｇ，Ｇ’は連動し、右スライド扉３Ｒが第２のガイドレール１９，１９’の揺動ガイド部１９ｂ（下側については不図示）に沿って揺動しながらスムーズに手前側に引き出される。このとき、上下の平面仕切板４，４’に嵌着された樹脂製部材２５の切欠き２５ａに収納されていた連結ロッド２２は、図９に示すように、切欠き２５ａから外れて円弧状に揺動しながら前方へと移動するが、前述のように切欠き２５ａは、その内側面２５ａ−１が前方に向かって広がる傾斜面として形成されており、前方に向かって開口幅が広げられているため（図６参照）、連結ロッド２２の切欠き２５ａとの干渉が避けられ、右スライド扉３Ｒは、揺動しながら手前側にスムーズに引き出される（図１０参照）。
【００３５】
上述のように、右スライド扉３Ｒが収納庫本体２の前面に対して手前側へと平行に引き出されると、ユーザーが右スライド扉３Ｒのライン把手１６の左側の手掛け部１６ａを把持して該右スライド扉３Ｒを左スライド扉３Ｌ方向へと引く。このとき、上下のガイド手段Ｇ，Ｇ’の揺動板１０，１０’に保持されたローラ２１，２１’は第２のガイドレール１９，１９’の直線ガイド部１９ａ（下側については不図示）に沿って移動して上下の平行四辺形リンクを図４に示す形状に保持するため、右側スライド扉３Ｒは、図４に示すように収納庫本体２の前面から前側に平行に引き出された状態を保持する。そして、この右スライド扉３Ｒは、上下のガイド手段Ｇ，Ｇ’のスライダ６，６’が第１のガイドレール５，５’に沿ってそれぞれ移動するに伴って左方向（図４の矢印ｘ方向）に平行にスライドし、図４に鎖線にて示すように左スライド扉３Ｌの手前側において正面視で左スライド扉３Ｌに重ねられ、収納庫本体２の前面開口部２ａの右半分を開く（開度５０％）。従って、ユーザーは、収納庫本体２の前面開口部２ａのうち、大きく開いた右半分から収納庫本体２内の収納空間に対して食器類を作業性良く出し入れすることができる。
【００３６】
次に、開状態にある収納庫本体２の開口部の２ａ右半分を右スライド扉３Ｒによって閉じる場合には、右スライド扉３Ｒを以上とは逆の手順で操作すれば良い。即ち、図４に鎖線にて示すように正面視で左スライド扉３Ｌに重ねられた右スライド扉３Ｒのライン把手１６の右側の手掛け部１６ｂ（図７参照）を把持して該右スライド扉３Ｒを右方向（図４の矢印ｘ’方向）にスライドさせる。そして、右スライド扉３Ｒが右限まで移動し、上下のガイド手段Ｇ，Ｇ’の揺動板１０，１０’に保持されたローラ２１，２１’の第２のガイドレール１９，１９’への係合が直線ガイド部１９ａ（下側については不図示）から揺動ガイド部１９ｂ（下側については不図示）に移行した時点で、ライン把手１６の右側の手掛け部１６ｂ（図７参照）を把持して右スライド扉３Ｒを奥側に押し込むと、上側のリンク機構Ｇの揺動板１０，１１はリターンスプリング１７の復元力によって軸１２，１３を中心として図４の矢印ｂ方向に回動し、平行四辺形リンクは図２に示す全閉状態へと復帰する。同様に、下側のガイド手段Ｇ’の揺動板１０’，１１’もリターンスプリング１７’の復元力によって同方向に回動し、平行四辺形リンクは全閉状態へと復帰する。
【００３７】
而して、上述のように平行四辺形リンクが全閉状態に復帰すると右スライド扉３Ｒは収納庫本体２の前面に対して平行に奥側へと移動して図１〜図３に示すように収納庫本体２の前面開口部２ａの右半分を閉じ、左右のスライド扉３Ｌ，３Ｒはフラットな平面を成す。このとき、上下のガイド手段Ｇ，Ｇ’の揺動板１０，１０’同士を連結する連結ロッド２２は、図８に示すように、上下の平面仕切板４，４’に嵌着された樹脂製部材２５の切欠き２５ａに収納される。そして、本実施の形態では、上側のガイド手段Ｇのスライダ６と揺動板１０との間にダンパー１８を介設したため、右スライド扉３Ｒを閉じる際の衝撃がダンパー１８によって吸収され、該右スライド扉３Ｒの閉じ動作が静粛になされる。
【００３８】
尚、以上は右スライド扉３Ｒの開閉動作について説明したが、左スライド扉３Ｌの開閉動作も右スライド扉３Ｒと同様であって、収納庫本体２の前面開口部２ａの左半分は左スライド扉３Ｌによって開閉される。
【００３９】
以上のように、本発明に係る収納庫１においては、ライン把手１６を前面が開口するチャンネル状部材で構成し、このチャンネル状部材の開口側の幅方向両端縁に、内側に向かって略直角に曲げられた横断面Ｌ字状の手掛け部１６ａ，１６ｂを上下方向に一体に形成したため（図７参照）、スライド扉３Ｌ，３Ｒの開閉動作時にはライン把手１６の両手掛け部１６ａ，１６ｂの操作し易い（力を掛け易い）一方に手を掛けてスライド扉３Ｌ，３Ｒを操作することができ、スライド扉３Ｌ，３Ｒに左右何れの方向にも必要な力を加えて該スライド扉３Ｌ，３Ｒを操作性良く開閉操作することができる。
【００４０】
又、本実施の形態では、左右のスライド扉３Ｌ，３Ｒに設けられた上下一対のガイド手段Ｇ，Ｇ’同士を連結ロッド２２で連結し、両ガイド手段Ｇ，Ｇ’が連動するよう構成したため、スライド扉３Ｌ，３Ｒのどの高さ位置を操作しても、左右のスライド扉３Ｌ，３Ｒをスムーズに開閉することができる。
【００４１】
従って、本発明に係る収納庫１のように左右のスライド扉３Ｌ，３Ｒの幅方向一端面に上下方向に直線状に延びるライン把手１６を取り付け、該収納庫１の前面に突起物が突出しないようにして操作性と意匠性を高めた場合であっても、このライン把手１６のどの高さ位置を操作しても、左右のスライド扉３Ｌ，３Ｒをスムーズに開閉することができる。
【産業上の利用可能性】
【００４２】
本発明は、キッチンに設置される食器棚の他、台所用クローゼット、本箱、靴箱、物置等、任意の収納庫とそのスライド扉に取り付けられるライン把手に対して適用可能である。
【図面の簡単な説明】
【００４３】
【図１】本発明に係る収納庫の正面図である。
【図２】図１のＡ−Ａ線断面図（スライド扉全閉時）である。
【図３】図２のＢ−Ｂ線断面図である。
【図４】図１のＡ−Ａ線断面図（スライド扉開閉時）である。
【図５】図４のＣ−Ｃ線断面図である。
【図６】図４のＤ部拡大詳細図である。
【図７】図１のＥ−Ｅ線断面図である。
【図８】本発明に係るスライド扉開閉機構の動作を示す部分斜視図である。
【図９】本発明に係るスライド扉開閉機構の動作を示す部分斜視図である。
【図１０】本発明に係るスライド扉開閉機構の動作を示す部分斜視図である。
【符号の説明】
【００４４】
１              収納庫
２              収納庫本体
２ａ            収納庫本体の前面開口部
３Ｌ，３Ｒ      スライド扉
４，４’        平面仕切板
５，５’        第１のガイドレール
６，６’        スライダ
７，７’        ローラ
８，９          連結板
１０，１０’    揺動板
１１，１１’    揺動板
１２，１３      軸
１４，１４’    リンク部材
１５，１５’    軸
１６            ライン把手
１６ａ，１６ｂ  ライン把手の手掛け部
１７，１７’    リターンスプリング
１８            ダンパー
１９，１９’    第２のガイドレール
１９ａ          第２のガイドレールの直線ガイド部
１９ｂ          第２のガイドレールの揺動ガイド部
２０，２０’    軸
２１，２１’    ローラ
２２            連結ロッド
２３，２３’    ブラケット
２４，２４’    フランジ
２５          樹脂製部材
２５ａ        切欠き
２５ａ−１    切欠きの内側面
Ｇ，Ｇ’      ガイド手段
Ｓ，Ｓ’      空間
【図１】
0004993489.tif 000002
【図２】
0004993489.tif 000003
【図３】
0004993489.tif 000004
【図４】
0004993489.tif 000005
【図５】
0004993489.tif 000006
【図６】
0004993489.tif 000007
【図７】
0004993489.tif 000008
【図８】
0004993489.tif 000009
【図９】
0004993489.tif 000010
【図１０】
0004993489.tif 000011